(57)【要約】【課題】少量の排水で効率よく夾雑物を排出できるようにする。【解決手段】ホース２の先端に取り付けた弾性を有する袋体１を枝管２２を介して本管２１に挿入し、ホース２から空気を送り込んで袋体１を膨らませ、管内流路の断面積を減少させて流速を増大させることにより、夾雑物Ｓを下流側へ移送し、ホース２を押し込みつつ袋体１を下流側へ順次移動させて、夾雑物Ｓを排出する。夾雑物Ｓの排出時にのみ排水すればよいので、洗管に伴う排水量を大幅に削減することができる。【選択図】  図２
2004283740.tif 000002
【特許請求の範囲】
【請求項１】
管内に混入した夾雑物を流れる流体と共に排出する管内夾雑物の除去方法において、ホースの先端に取り付けた弾性を有する袋体を管内に挿入し、ホースから流体を送り込んで袋体を膨らませ、管内流路の断面積を減少させて流速を増大させることにより、夾雑物を下流側へ移送し、ホースを押し込みつつ袋体を下流側へ順次移動させて、夾雑物を排出することを特徴とする管内夾雑物の除去方法。
【請求項２】
前記ホースを筒状の接続具にシールしてスライド自在に挿通し、この接続具を補修弁を備えた枝管に取り付け、補修弁を開いてホースを押し込むことにより、前記袋体を本管の下流側へ順次移動させることを特徴とする請求項１に記載の管内夾雑物の除去方法。
【請求項３】
前記接続具に押込部材をシールしてスライド自在に挿通し、この押込部材の押し下げに伴い、前記袋体を枝管から本管に挿入することを特徴とする請求項２に記載の管内夾雑物の除去方法。
【請求項４】
前記押込部材にホース把持機構を設け、この把持機構でホースを把持して押込部材を押し下げる動作と、ホースの把持を解除して押込部材を引き上げる動作とを繰り返すことにより、前記袋体を下流側へ順次移動させることを特徴とする請求項３に記載の管内夾雑物の除去方法。
【請求項５】
弾性を有する袋体をホースの先端に取り付け、このホースを枝管に接続される筒状の接続具にシールしてスライド自在に挿通すると共に、リールに巻き取った状態から徐々に繰り出せるようにし、ホースの末端側に、前記袋体に流体を送り込むポンプを接続した管内夾雑物の除去装置。
【請求項６】
前記接続具に、前記袋体を枝管から本管へ押し込む押込部材をシールしてスライド自在に挿通した請求項５に記載の管内夾雑物の除去装置。
【請求項７】
前記押込部材に、前記ホースを把持及び解除できる把持機構を設けた請求項６に記載の管内夾雑物の除去装置。
【発明の詳細な説明】
【０００１】
【発明の属する技術分野】
この発明は、水道管等の管路に混入した土砂などの夾雑物を除去する方法及び装置に関するものである。
【０００２】
【従来の技術】
例えば、地中に埋設された水道管には、補修工事等に伴って土砂などの夾雑物が混入することがある。この夾雑物は、水道管の本管から立ち上がる枝管に接続した消火栓を開いて、水道水と共に押し出したり、本管の管底付近から水路等まで敷設した排泥管を介して水道水と共に流したりして除去している。
【０００３】
【発明が解決しようとする課題】
しかしながら、上記方法では、夾雑物の移送に多量の排水を必要とし、また、その移送に必要な流速が確保できない場合もある。
【０００４】
そこで、この発明は、少量の排水で効率よく夾雑物を排出できる方法及び装置を提供しようとするものである。
【０００５】
【課題を解決するための手段】
上記課題を解決するため、この発明は、ホースの先端に取り付けた弾性を有する袋体を管内に挿入し、ホースから流体を送り込んで袋体を膨らませ、管内流路の断面積を減少させて流速を増大させることにより、夾雑物を下流側へ移送し、ホースを押し込みつつ袋体を下流側へ順次移動させて、夾雑物を排出することとしたのである。
【０００６】
このようにすると、排水することなく夾雑物を移送でき、夾雑物の排出時にのみ挿入式排泥管や予め敷設した排泥管、又はバルブ付きＴ字管に設置した消火栓等から排水すればよいので、洗管に伴う排水量を大幅に削減することができる。
【０００７】
また、この作業は、消火栓等が設けられた既存の枝管に、ホースを挿通した接続具を取り付けて行うことができるので、道路等の開削工事を行う必要もない。
【０００８】
【発明の実施の形態】
以下、この発明の実施形態を添付図面に基づいて説明する。
【０００９】
この実施形態では、図１に示すように、ゴムなどの弾性を有する材料から成る袋体１がホース２の先端に取り付けられた除去用具を使用する。ホース２の先端側は筒状の接続具３にスライド自在に挿通され、末端側はリール４に巻かれて、ポンプ５に接続されている。
【００１０】
接続具３には、ホース２のほか、押込部材６がスライド自在に挿通され、その軸７の下端には押込環８が、上端にはハンドル９が設けられている。接続具３の上部には、ホース２及び軸７がそれぞれシールされて貫通する挿通穴１０，１１が設けられ、接続具３の下部にはカプラー１２が設けられている。
【００１１】
また、地中に埋設された水道の本管２１からは枝管２２が分岐し、枝管２２には補修弁２３及び三方口管２４が設けられている。三方口管２４の上部には、直線状管路の接続口２５と、分岐した管路の接続口２６とが設けられ、接続口２６には消火栓２７が接続されている。
【００１２】
いま、この発明に係る方法により、本管２１内の夾雑物を除去する際には、袋体１が細く萎んだ状態で、接続具３を三方口管２４の接続口２５にカプラー１２により接続する。このとき、補修弁２３を閉じておくと、本管２１を断水する必要はない。
【００１３】
次に、補修弁２３を開き、図２に示すように、押込部材６のハンドル９を押し下げて、押込環８により袋体１を枝管２２から本管２１へ挿入する。このように押込部材６を使用すると、ホース２を直接握って押し込む場合よりも、袋体１を本管２１に円滑に挿入することができる。
【００１４】
その後、ポンプ５により袋体１を膨張させると、その部分では通水断面積が減少して、管内流速が増大する。例えば、袋体１で管内断面積の３分の２程度を遮った場合、通水断面積は３分の１となり、流量が一定であれば、流速は約３倍になる。このような流速の増大により、夾雑物Ｓが下流側へ移動し始める。
【００１５】
続いて、ホース２をリール４から繰り出して枝管２２に押し込みつつ、袋体１を下流側へ順次移動させると、流速の増大部も移動し、夾雑物Ｓは追われるように下流側へ流される。このとき、袋体１は、管内流により下流方向へ力を受けるので、ホース２を容易に押し込むことができる。
【００１６】
なお、夾雑物Ｓの移送速度は、管内流速の３０％〜５０％となることが実験により確かめられているので、ホース２を管内流速の３０％より遅い速度で送り込むと、夾雑物Ｓを確実に下流側へ移送できる。
【００１７】
そして、夾雑物Ｓが下流側の排出位置まで達したとき、夾雑物Ｓを、挿入式排泥管や予め敷設した排泥管、又はバルブ付きＴ字管に設置した消火栓等から水流と共に排出する。
【００１８】
このように、上記方法では、夾雑物Ｓを移送するために排水する必要がなく、下流端で夾雑物Ｓを排出する時にのみ排水すればよいので、洗管に伴う排水量を少量に抑えることができる。
【００１９】
なお、バルブ付きＴ字管以外から排水する場合には、排水位置の下流側に設けたバルブを閉じておくと、それより下流側へ水を逃がさず効率的である。
【００２０】
また、この実施形態のように、三方口管２４を介して消火栓２７を接続しておくと、洗管作業中にも、消火栓２７を使用することができる。
【００２１】
なお、消火栓２７に代えて、管路内の空気を排出する空気弁を三方口管２４に接続してもよく、いずれも必要ない場合には、三方口管２４を省略してもよい。
【００２２】
また、図３に示すように、押込部材６にホース把持機構を設けてもよい。この把持機構は、ハンドル９のレバー１３を握ると、軸６に挿通したワイヤ１４が引かれ、その先端の環状部１５が縮径してホース２が把持され、レバー１３を離すと、環状部１５が拡径してホース２の把持が解除されるものである。
【００２３】
この把持機構では、レバー１３を握って押込部材６を押し下げる動作と、レバー１３を離して押込部材６を引き上げる動作とを繰り返すことにより、ホース２を確実に本管２１に送り込み、袋体１を下流側へ移動させることができる。
【００２４】
また、押込部材６の他の形態として、図４に示すように、接続具３にスライド自在に内筒１６を挿入し、これにホース２を挿通して、袋体１を内筒１６の下端で押し下げることにより、本管２１に挿入するようにしてもよい。
【００２５】
なお、ホース２が撓みにくい場合には、図５に示すように、押込部材６を省略し、ホース２を直接握って押し込むことにより、袋体１を本管２１に挿入するようにしてもよい。
【００２６】
【発明の効果】
以上のように、この発明によると、管内流速を増大させる袋体をホースの押し込みに伴い順次下流側へ移動させて、夾雑物を移送するので、夾雑物の排出時にのみ排水すればよく、洗管に伴う排水量を大幅に削減することができる。
【００２７】
また、この作業は、消火栓等が設けられた既存の枝管に、ホースを挿通した接続具を取り付けて行うことができるので、道路等の開削工事を行う必要もない。
【図面の簡単な説明】
【図１】この発明の実施形態において袋体を本管に挿入する前の状態を示す概略図
【図２】同上の袋体が本管内を移動する状態を示す概略図
【図３】同上の把持機構を示す一部拡大図
【図４】同上の押込部材の他の形態を示す概略図
【図５】同上のホース押込により袋体を挿入する実施形態を示す概略図
【符号の説明】
１  袋体
２  ホース
３  接続具
４  リール
５  ポンプ
６  押込部材
２１  本管
２２  枝管
２３  補修弁
Ｓ  夾雑物
【図１】
2004283740.tif 000003
【図２】
2004283740.tif 000004
【図３】
2004283740.tif 000005
【図４】
2004283740.tif 000006
【図５】
2004283740.tif 000007